(57)【要約】【課題】複数の無線機を備える通信端末装置が故障した際に、特別な設備が無い環境であっても無線機の故障状況を把握する。【解決手段】第１の無線機及び第２の無線機を有する通信端末装置の、前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する。【選択図】図１
2010087786.tif 000002
【特許請求の範囲】
【請求項１】
第１の無線機及び第２の無線機を有する通信端末装置であって、
前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する通信端末装置。
【請求項２】
請求項１に記載の通信端末装置であって、
前記第１の無線機が、
テスト信号を生成する第１の制御手段と、
前記第１の制御手段が生成した前記テスト信号を変調する第１の変調手段と、
前記変調後の前記テスト信号を前記第２の無線機に送信する第１の送信手段と、
を備え、
前記第２の無線機が、
送信されてきた前記テスト信号を受信する第１の受信手段と、
受信した前記テスト信号を復調する第１の復調手段と、
前記復調が正常に行えた場合は前記第１の無線機の変調が正常であると判断し、前記復調が正常に行えなかった場合は前記第１の無線機の変調が正常ではないと判断する第２の制御手段と、を備えることを特徴とする通信端末装置。
【請求項３】
請求項１又は２に記載の通信端末装置であって、
前記第２の無線機が、
テスト信号を生成する第３の制御手段と、
前記第３の制御手段が生成した前記テスト信号を変調する第２の変調手段と、
前記変調後の前記テスト信号を前記第１の無線機に送信する第２の送信手段と、
を備え、
前記第１の無線機が、
送信されてきた前記テスト信号を受信する第２の受信手段と、
受信した前記テスト信号を復調する第２の復調手段と、
前記復調が正常に行えた場合は前記第１の無線機の復調が正常であると判断し、前記復調が正常に行えなかった場合は前記第１の無線機の復調が正常ではないと判断する第４の制御手段と、を備えることを特徴とする通信端末装置。
【請求項４】
請求項１乃至３の何れか１項に記載の通信端末装置であって、前記第２の無線機が、前記第２の無線機が受信した前記テスト信号の受信ＲＳＳＩ（Received Signal Strength Indicator）から前記第１の無線機の送信レベルを判断することを特徴とする通信端末装置。
【請求項５】
請求項１乃至４の何れか１項に記載の通信端末装置であって、前記第１の無線機が、前記第１の無線機が受信した前記テスト信号の受信ＲＳＳＩから前記第１の無線機の受信ゲインを判断することを特徴とする通信端末装置。
【請求項６】
第１の無線機及び第２の無線機を有する通信端末装置における診断方法であって、
前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する診断方法。
【請求項７】
請求項６に記載の診断方法であって、
前記第１の無線機が、テスト信号を生成する第１の制御ステップと、
前記第１の無線機が、前記第１の制御ステップが生成した前記テスト信号を変調する第１の変調ステップと、
前記第１の無線機が、前記変調後の前記テスト信号を前記第２の無線機に送信する第１の送信ステップと、
前記第２の無線機が、送信されてきた前記テスト信号を受信する第１の送信ステップと、
前記第２の無線機が、受信した前記テスト信号を復調する第１の復調ステップと、
前記第２の無線機が、前記復調が正常に行えた場合は前記第１の無線機の変調が正常であると判断し、前記復調が正常に行えなかった場合は前記第１の無線機の変調が正常ではないと判断する第２の制御ステップと、を備えることを特徴とする診断方法。
【請求項８】
請求項６又は７に記載の診断方法であって、
前記第２の無線機が、
テスト信号を生成する第３の制御ステップと、
前記第２の無線機が、前記第３の制御ステップが生成した前記テスト信号を変調する第２の変調ステップと、
前記第２の無線機が、前記変調後の前記テスト信号を前記第１の無線機に送信する第２の送信ステップと、
前記第１の無線機が、
送信されてきた前記テスト信号を受信する第２の受信ステップと、
前記第１の無線機が、受信した前記テスト信号を復調する第２の復調ステップと、
前記第１の無線機が、前記復調が正常に行えた場合は前記第１の無線機の復調が正常であると判断し、前記復調が正常に行えなかった場合は前記第１の無線機の復調が正常ではないと判断する第４の制御ステップと、を備えることを特徴とする診断方法。
【請求項９】
請求項６乃至８の何れか１項に記載の診断方法であって、前記第２の無線機が、前記第２の無線機が受信した前記テスト信号の受信ＲＳＳＩ（Received Signal Strength Indicator）から前記第１の無線機の送信レベルを判断することを特徴とする診断方法。
【請求項１０】
請求項６乃至９の何れか１項に記載の診断方法であって、前記第１の無線機が、前記第１の無線機が受信した前記テスト信号の受信ＲＳＳＩから前記第１の無線機の受信ゲインを判断することを特徴とする診断方法。
【請求項１１】
第１の無線機及び第２の無線機を有する通信端末装置における診断プログラムであって、
前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する通信端末装置としてコンピュータを機能させることを特徴とする診断プログラム。
【請求項１２】
請求項１１に記載の診断プログラムであって、
前記第１の無線機が、
テスト信号を生成する第１の制御手段と、
前記第１の制御手段が生成した前記テスト信号を変調する第１の変調手段と、
前記変調後の前記テスト信号を前記第２の無線機に送信する第１の送信手段と、
を備え、
前記第２の無線機が、
送信されてきた前記テスト信号を受信する第１の受信手段と、
受信した前記テスト信号を復調する第１の復調手段と、
前記復調が正常に行えた場合は前記第１の無線機の変調が正常であると判断し、前記復調が正常に行えなかった場合は前記第１の無線機の変調が正常ではないと判断する第２の制御手段と、を備えることを特徴とする診断プログラム。
【請求項１３】
請求項１１又は１２に記載の診断プログラムであって、
前記第２の無線機が、
テスト信号を生成する第３の制御手段と、
前記第３の制御手段が生成した前記テスト信号を変調する第２の変調手段と、
前記変調後の前記テスト信号を前記第１の無線機に送信する第２の送信手段と、
を備え、
前記第１の無線機が、
送信されてきた前記テスト信号を受信する第２の受信手段と、
受信した前記テスト信号を復調する第２の復調手段と、
前記復調が正常に行えた場合は前記第１の無線機の復調が正常であると判断し、前記復調が正常に行えなかった場合は前記第１の無線機の復調が正常ではないと判断する第４の制御手段と、を備えることを特徴とする診断プログラム。
【請求項１４】
請求項１１乃至１３の何れか１項に記載の診断プログラムであって、前記第２の無線機が、前記第２の無線機が受信した前記テスト信号の受信ＲＳＳＩ（Received Signal Strength Indicator）から前記第１の無線機の送信レベルを判断することを特徴とする診断プログラム。
【請求項１５】
請求項１１乃至１４の何れか１項に記載の診断プログラムであって、前記第１の無線機が、前記第１の無線機が受信した前記テスト信号の受信ＲＳＳＩから前記第１の無線機の受信ゲインを判断することを特徴とする診断プログラム。
【発明の詳細な説明】
【技術分野】
【０００１】
本発明は、複数の無線機を搭載する通信端末装置、それにおける無線回路診断方法及びその方法のためのプログラムに関する。
【背景技術】
【０００２】
近年、ダイバシティの実現等のために、１つの通信端末にアンテナ等の無線機器を２系統(あるいは複数系統)、実装することが一般的に行われている（例えば特許文献１参照）。
【０００３】
これにより、例えば電波状況の優れたほうのアンテナを優先的に利用し、通話の安定性を高める等のメリットを得ることができる。
【０００４】
しかし、これらの通信端末に故障等の何かしら問題が生じた場合、その原因特定が困難である。例えば通信が不可能となる場合その原因には主だったところで以下が挙げられる。
【０００５】
１．ソフトウェア、及びその設定によるもの
２．ハードウェアの故障によるもの
３．データ通信端末等の場合はＰＣ等のホスト側の要因によるもの
４．製品には問題なくユーザー側の使用方法の問題によるもの
そして、例えばユーザーからの電話相談対応窓口では詳細な特性確認は行えないまでも、一般的な接続性に関する確認を行い、そこから原因の切り分けとその後の対応が迅速に行いたいというニーズがある。
【０００６】
しかし、メーカーへの申告は単に「使用不可能」以上の情報が上がり難く、ユーザーからの電話相談対応窓口では上記に考えられる要因の切り分けが困難である。
【０００７】
そのため、図５に示すようにメーカー修理窓口等においては、専用測定機器と無線端末を接続することにより無線特性の確認を行っていた。具体的には、図５の通信端末５００は第１の無線機５１０と、第２の無線機５２０を有しており、それぞれの無線機は、アンテナ５１１、アンテナ５２１を有している。そして、変調信号発生器等である測定機器５５０と各無線機を接続し、無線特性の確認を行う。
【特許文献１】特開２００６−９４３８３号公報
【発明の開示】
【発明が解決しようとする課題】
【０００８】
しかし、上述したような専用測定機器は非常に高価である。また、無線回路に関しては専門性が高く、専用測定装置を扱う人員の教育等が必要となる問題がある。
【０００９】
また、メーカー修理窓口等にこれらの専用測定装置や人員を用意出来ない場合は生産現場や、開発現場へ解析を依頼する事になるため、その分の時間も要する事になる。
【００１０】
これでは、上述した、原因の切り分けとその後の対応が迅速に行いたいというニーズを満たすことができない。
【００１１】
そこで、本発明は、特別な設備が無い環境であっても簡易的に無線回路の確認を可能とすることが可能な、無線機を搭載する端末における無線回路診断方法、その装置及びそのプログラムを提供することを目的とする。
【課題を解決するための手段】
【００１２】
本発明の第１の観点によれば、第１の無線機及び第２の無線機を有する通信端末装置であって、前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する通信端末装置が提供される。
【００１３】
本発明の第２の観点によれば、第１の無線機及び第２の無線機を有する通信端末装置における診断方法であって、前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する診断方法が提供される。
【００１４】
本発明の第３の観点によれば、第１の無線機及び第２の無線機を有する通信端末装置における診断プログラムであって、前記第１の無線機又は前記第２の無線機が、他方の無線機に対してテスト信号を送信し、前記他方の無線機が、前記テスト信号を受信し、受信した前記テスト信号を復調し、前記復調の結果が正常であれば前記第１の無線機の変復調が正常に行われていると判別する通信端末装置としてコンピュータを機能させることを特徴とする診断プログラムが提供される。
【発明の効果】
【００１５】
本発明によれば、特別な設備が無い環境であっても無線機の故障状況を把握することが可能となる。
【発明を実施するための最良の形態】
【００１６】
まず、本発明の実施形態の概略を説明する。本実施形態は、一方の無線機が正常に動作しているか否かを、隣接する他方の無線機を使用して確認する方法である。
【００１７】
専用の無線測定機器を使用した場合に比べ、詳細な特性確認は行えないが、一般的な接続性に関する確認は可能であり、そこから原因の切り分けとその後の対応が迅速に行える。
【００１８】
次に、図１に本発明の実施形態として、データ通信端末及びＰＣ等のホスト側装置を用いた構成を示す。
【００１９】
図１を参照すると、本発明の実施形態は、通信端末１００及びホスト側装置２００を有する。図１では、ホスト側装置２００に通信端末１００が挿入されている場合を例示する。
【００２０】
また、通信端末１００は、第１の無線機１１０及び第２の無線機１２０を有している。第１の無線機１１０と第２の無線機１２０は同一規格に準拠する無線機であり、本実施形態では両無線機は同一のＰＨＳ（Personal Handy-phone System）規格に準拠する無線機である。
【００２１】
第１の無線機１１０と第２の無線機１２０は接続されており、その接続は、各々のアンテナ放射を利用した空間接続、あるいは試験用端子が用意されている場合はケーブル接続とする。なお、ケーブル接続とする場合には、必要に応じて減衰器を追加する。
【００２２】
また、今回はＰＨＳを例として説明するが本発明は無線機の規格が限定されるものではない。第１の無線機１１０と第２の無線機１２０が同一規格でさえあればよく、例えば両無線機がＩＭＴ−２０００（International Mobile Telecommunication 2000）規格に準拠した携帯電話機等であってもよい。
【００２３】
また、第１の無線機１１０は、アンテナ１１１、送受信回路１１２、変復調回路１１３及び制御部１１４を有する。同様に第２の無線機１２０は、アンテナ１２１、送受信回路１２２、変復調回路１２３及び制御部１２４を有する。
【００２４】
アンテナ１１１は、両無線機が無線で通信を行う際に外部と信号を送受信するためのアンテナである。送受信回路１１２は、アンテナ１１１が送受信する信号を送り出す又は受け取るための回路である。
【００２５】
変復調回路１２３は、制御部１１４から受け取った信号を変調し、送受信回路１１２から受け取った信号を復調するための回路である。
【００２６】
制御部１１４は、テスト信号を送受信するための部分であり、テスト信号を生成し変復調回路１１３へ渡す。また、変復調回路１１３から送られてきたテスト信号を受け取る。
【００２７】
なお、第２の無線機１２０の各回路及び各部分の機能も上述した第１の無線機１１０と同様である。
【００２８】
ホスト側装置２００は、例えばＰＣ（Personal Computer）であり、アプリケーション／ユーティリティ部２１０を有する。アプリケーション／ユーティリティ部２１０は、データ通信端末１００に自己診断を開始するように指示を出す部分である。
【００２９】
次に、図２、図３及び図４のフローチャートを参照して、本実施形態における自己診断の動作について説明する。
【００３０】
まず、自己診断の起動動作について図２を参照して説明する。
【００３１】
アプリケーション／ユーティリティ部２１０が、ユーザーからの自己診断開始の選択を受け付ける（ステップＳ３０１）。なお、ここでは、ユーザーからの自己診断開始の選択を受け付けることにより自己診断を開始することとしたが、アプリケーション／ユーティリティ部２１０が、定期的／自動的に自己診断開始の選択を行うようにしてもよい。具体的には、一定の期間毎に自己診断を行うようにしたり、例えば通信端末１００起動時に毎回自己診断を行うようにしたりしてもよい。
【００３２】
次に、自己診断開始の選択をうけたアプリケーション／ユーティリティ部２１０は、通信端末１００の制御部１１４を起動させ、以下の確認を行う（ステップＳ３０２）。
【００３３】
次に、第１の無線機１１０の送信確認動作について図３を参照して説明する。
【００３４】
制御部１１４が、任意の信号をテスト信号として生成し、生成したテスト信号を変復調回路１１３に送る（ステップＳ３０３）。
【００３５】
テスト信号を受け取った変復調回路１１３は、テスト信号を変調した上で送受信回路１１２に渡す（ステップＳ３０４）。この際のテスト信号の変調方式等は極力実動作（通常時の送受信方式）と同じとすることが望ましい。
【００３６】
制御部１１４は、変調されたテスト信号を、アンテナ１１１を介して第２の無線機１２０に送出する（ステップＳ３０５）。
【００３７】
この送出されたテスト信号を、アンテナ１２１を介して第２の無線機１２０の送受信回路１２２が受信し、変復調回路１２３に渡す（ステップＳ３０６）。
【００３８】
そして、変復調回路１２３がテスト信号を、正常に復調することができれば（ステップＳ３０７においてＹｅｓ）第１の無線機１１０の変調が正常であると判断する（ステップＳ３０８）。一方、正常に復調する事ができなければ（ステップＳ３０７においてＮｏ）第１の無線機１１０の変調が正常ではないと判断する（ステップＳ３０９）。
【００３９】
また同時に第２の無線機１２０の受信ＲＳＳＩ（Received Signal Strength Indicator）から第１の無線機１１０の送信レベルを判断することもできる。
【００４０】
次に、第１無線機の受信確認動作について図４を参照して説明する。
【００４１】
制御部１２４が、任意の信号をテスト信号として生成し、生成したテスト信号を変復調回路１２３に送る（ステップＳ４０３）。
【００４２】
テスト信号を受け取った変復調回路１２３は、テスト信号を変調した上で送受信回路１２２に渡す（ステップＳ４０４）。この際のテスト信号の変調方式等は極力実動作（通常時の送受信方式）と同じとすることが望ましい。
【００４３】
制御部１２４は、変調されたテスト信号を、アンテナ１２１を介して第１の無線機１１０に送出する（ステップＳ４０５）。
【００４４】
この送出されたテスト信号を、アンテナ１１１を介して第１の無線機１１０の送受信回路１１２が受信し、変復調回路１１３に渡す（ステップＳ４０６）。
【００４５】
そして、変復調回路１１３がテスト信号を、正常に復調することができれば（ステップＳ４０７においてＹｅｓ）第１の無線機１１０の復調が正常であると判断する（ステップＳ４０８）。一方、正常に復調することができなければ（ステップＳ４０７においてＮｏ）第１の無線機１１０の復調が正常ではないと判断する（ステップＳ４０９）。
【００４６】
また同時に第１の無線機１１０の受信ＲＳＳＩから第１無線機の受信ゲインを判断する事もできる。
【００４７】
以上、第１の無線機１１０の送受信回路を確認する場合について説明したが、第２の無線機１２０の送受信回路を確認する場合は、上記手順において第１の無線機１１０及び第２の無線機１２０が逆となる。
【００４８】
また第１の無線機１１０と第２の無線機１２０の接続を空間接続にて確認を行う場合は、信号送出の際に事前にキャリアセスを行い希望する周波数の空き状況を確認する必要がある。
【００４９】
以上説明した本処理にて、異常が検出された場合は、通信端末１００の本体上のＬＥＤ等を用いて異常が検出された旨を通知する。或いは、アプリケーション／ユーティリティ部２１０アプリケーション等のソフトウェアに異常を知らせる通知を行う。
【００５０】
その他の実施形態として、アプリケーション／ユーティリティ部２１０を用いず、通信端末１００端末だけで構成する場合も考えられる。
【００５１】
この場合は、通信端末１００の起動を契機として、起動する際に一旦自己診断行った上で、通常の処理を行う事とする。
【００５２】
以上説明した実施形態は、ユーザーからの修理等の受付窓口等で利用することができる。また、修理等のための診断といった用途だけではなく、生産工場現場における試験工程、あるいは出荷検査等や、通常時の定期的な自己診断といった用途でも利用可能である。
【００５３】
以上説明した本発明の実施形態を用いることにより、特別な設備無く無線機の故障状況を把握することが可能となるという効果を奏する。
【００５４】
これにより、ユーザーからの修理等の受付窓口においても、設備／人員面での負担無く故障状況の確認が可能となる。それにより後工程のより的確／迅速な対応が可能となる。
またユーザー自身が診断動作を実施でき、無線機の故障状況を把握することが可能となる。例えば、電話相談窓口からの誘導等でユーザーからより的確な故障状況を得る事ができる。
【００５５】
なお、本発明の実施形態である通信端末１００、第１の無線機１１０、第２の無線機１２０及びホスト側装置２００は、ハードウェアのみによっても実現できるが、ハードウェァの一部に演算装置を含ませ、演算装置がプログラムを実行することによっても実現することができる。
【図面の簡単な説明】
【００５６】
【図１】本発明の実施形態の基本的構成を表す図である。
【図２】本発明の実施形態の基本的動作を表す図（１／３）である。
【図３】本発明の実施形態の基本的動作を表す図（２／３）である。
【図４】本発明の実施形態の基本的動作を表す図（３／３）である。
【図５】測定機を用いた関連する技術の構成を表す図である。
【符号の説明】
【００５７】
１００、５００  通信端末
１１０、５１０  第１の無線機
１２０、５２０  第２の無線機
１１１、１２１、５１１、５２１  アンテナ
１１２、１２２  送受信回路
１１３、１２３  変復調回路
１１４、１２４  制御部
２００  ホスト側装置
２１０  アプリケーション／ユーティリティ部
５５０  測定機器
【図１】
2010087786.tif 000003
【図２】
2010087786.tif 000004
【図３】
2010087786.tif 000005
【図４】
2010087786.tif 000006
【図５】
2010087786.tif 000007